(57)【要約】【課題】部品に確実に装着することができるキャップを提供する。【解決手段】部品に装着されるキャップ本体（１０）と、キャップ本体（１０）に設けられ、互いに接近又は離間方向へ移動可能な一対の可動部材（２０Ａ，２０Ｂ）と、一対の可動部材（２０Ａ，２０Ｂ）を離間方向へ付勢する付勢部材（３０Ａ，３０Ｂ）と、付勢部材（３０Ａ，３０Ｂ）の付勢力に抗して一対の可動部材（２０Ａ，２０Ｂ）の離間方向への移動を規制する規制手段（４０Ａ，４０Ｂ）とを備えている。【選択図】図１
2010002807.tif 000002
【特許請求の範囲】
【請求項１】
部品に装着されるキャップ本体と、
前記キャップ本体に設けられ、互いに接近又は離間方向へ移動可能な一対の可動部材と、
前記一対の可動部材を離間方向へ付勢する付勢部材と、
前記付勢部材の付勢力に抗して前記一対の可動部材の離間方向への移動を規制する規制手段と
を備えていることを特徴とするキャップ。
【請求項２】
前記規制手段は、前記キャップ本体に前記可動部材とは異なる移動方向に移動可能に取り付けられた一対のアームであり、
このアームの一端部がそのアームと前記キャップ本体との間に配置されたばねによって付勢されて、前記可動部材と係合していることを特徴とする請求項１記載のキャップ。
【請求項３】
前記部品に装着されることにより、前記規制手段を解除する解除手段が設けられていることを特徴とする請求項１又は２記載のキャップ。
【請求項４】
前記アームの他端部に設けられ、前記部品に装着されることにより、前記アームを移動させて前記可動部材との係合を解除する解除手段が設けられていることを特徴とする請求項２記載のキャップ。
【発明の詳細な説明】
【技術分野】
【０００１】
この発明はキャップに関する。
【背景技術】
【０００２】
従来、カメラのレンズキャップとしてねじを利用してレンズ鏡筒に装着されるレンズキャップが知られている（下記特許文献参照）。
【０００３】
このレンズキャップは、一部円環状に形成された外側突起部と内側突起部とを有する板状のつまみを備えている。つまみは、外側突起部の近傍に前記外側突起部と反対方向へ延びる突起部を有する。この突起部の外周面には、フードが取り付けられるレンズ鏡筒の先端部の内周面に形成されたメスねじ部に螺合可能なオスねじ部が形成されている。レンズキャップを、内側突起部を指で挟んでメスねじ部とオスねじ部とを螺合させることにより、レンズ鏡筒からフードを取り外すことなくレンズキャップをレンズ鏡筒に装着することができる。
【特許文献１】特開２００４−７７７７０号公報
【発明の開示】
【発明が解決しようとする課題】
【０００４】
しかし、フードが取り付けられているレンズ鏡筒にレンズキャップを装着するとき、レンズキャップのオスねじ部とレンズ鏡筒の先端部のメスねじ部との螺合状態を目で確認できないため、両ねじ部の螺合が十分でなかったり、レンズキャップをレンズ鏡筒に対して斜めに装着したりすることがある。そのため、例えば撮影者の移動中にカメラに伝わる振動やカメラに対するわずかな衝撃等でレンズキャップがレンズ鏡筒から外れ、レンズキャップを紛失するということがあった。
【０００５】
この発明はこのような事情に鑑みてなされたもので、その課題は部品に確実に装着することができるキャップを提供することである。
【課題を解決するための手段】
【０００６】
上記課題を解決するため請求項１記載の発明は、部品に装着されるキャップ本体と、前記キャップ本体に設けられ、互いに接近又は離間方向へ移動可能な一対の可動部材と、前記一対の可動部材を離間方向へ付勢する付勢部材と、前記付勢部材の付勢力に抗して前記一対の可動部材の離間方向への移動を規制する規制手段とを備えていることを特徴とする。
【０００７】
請求項２に記載の発明は、請求項１記載のキャップにおいて、前記規制手段は、前記キャップ本体に前記可動部材とは異なる移動方向に移動可能に取り付けられた一対のアームであり、このアームの一端部がそのアームと前記キャップ本体との間に配置されたばねによって付勢されて、前記可動部材と係合していることを特徴とする。
【０００８】
請求項３に記載の発明は、請求項１又は２記載のキャップにおいて、前記部品に装着されることにより、前記規制手段を解除する解除手段が設けられていることを特徴とする。
【０００９】
請求項４に記載の発明は、請求項２記載のキャップにおいて、前記アームの他端部に設けられ、前記部品に装着されることにより、前記アームを移動させて前記可動部材との係合を解除する解除手段が設けられていることを特徴とする。
【発明の効果】
【００１０】
この発明によれば、キャップを部品に確実に装着することができる。
【発明を実施するための最良の形態】
【００１１】
以下、この発明の実施の形態を図面に基づいて説明する。
【００１２】
図１（ａ）はこの発明の一実施形態に係るレンズキャップの平面図、図１（ｂ）は図１（ａ）のｂ−ｂ線に沿う断面を示す概念図、図１（ｃ）は図１（ａ）のｃ−ｃ線に沿う断面を示す概念図である。但し、図１（ａ）において、便宜上ばね（付勢部材）３０Ａ，３０Ｂを実線で示した。
【００１３】
レンズキャップ（キャップ）１００は例えば図示しないレンズ鏡筒（部品）に装着してレンズやフィルタ等が汚れたり、損傷したりするのを防止するために用いられる。なお、図１はレンズキャップ１００をレンズ鏡筒に装着する前の状態を示す。
【００１４】
レンズキャップ１００は、レンズ鏡筒に装着されるキャップ本体１０と、キャップ本体１０に設けられ、互いに接近又は離間方向へ移動可能な一対の可動部材２０Ａ，２０Ｂと、一対の可動部材２０Ａ，２０Ｂを離間方向へ付勢するばね３０Ａ，３０Ｂと、ばね３０Ａ，３０Ｂの付勢力に抗して一対の可動部材２０Ａ，２０Ｂの離間方向への移動を規制するアーム（規制手段）４０Ａ，４０Ｂとを備えている。
【００１５】
キャップ本体１０は合成樹脂等でほぼ円板状に成形されている。
【００１６】
一対の可動部材２０Ａ，２０Ｂはキャップ本体１０の切欠部２３に設けられたガイド（図示せず）によって一定の方向（互いに接近又は離間方向）へ案内される。可動部材２０Ａ，２０Ｂは、キャップ本体１０の外周と同様の円弧部を有する押圧部２４Ａ，２４Ｂと、押圧部２４Ａ，２４Ｂより中心側に位置し、押圧部２４Ａ，２４Ｂとは段違いに形成された円弧状突起部２５Ａ，２５Ｂとを有する。可動部材２０Ａ，２０Ｂは合成樹脂等で成形されている。円弧状突起部２５Ａ，２５Ｂにはレンズ鏡筒の前端部内周面の係合部（図示せず）に係合するおねじが形成されている。
【００１７】
ばね３０Ａはキャップ本体１０と可動部材２０Ａとに跨って形成されたガイド溝３１Ａ内に配置され、ばね３０Ｂはキャップ本体１０と可動部材２０Ｂとに跨って形成されたガイド溝３１Ｂ内に配置されている。
【００１８】
アーム４０Ａ，４０Ｂはそれぞればね（図示せず）によってそれぞれ可動部材２０Ａ，２０Ｂの移動方向と直交する方向へ付勢されている。アーム４０Ａ，４０Ｂはキャップ本体１０に取り付けられたガイド１１によって可動部材２０Ａ，２０Ｂの移動方向と直交する方向へ案内される。アーム４０Ａ，４０Ｂのそれぞれの一端部に設けられた凸部４１Ａ，４１Ｂが一対の可動部材２０Ａ，２０Ｂにそれぞれ形成された孔２１Ａ，２１Ｂに係合することによって可動部材２０Ａ，２０Ｂの離間方向への移動が規制されている。
【００１９】
アーム４０Ａ，４０Ｂのそれぞれの他端部には、キャップ本体１０がレンズ鏡筒に装着されるとき、レンズ鏡筒内のレンズ保持枠（図示せず）に押されて凸部４１Ａ，４１Ｂと孔２１Ａ，２１Ｂとの係合を解除する凸部（解除手段）４２Ａ，４２Ｂが設けられている。
【００２０】
レンズキャップ１００をレンズ鏡筒に装着するとき、凸部４２Ａ，４２Ｂをレンズ保持枠に押し付け、キャップ本体１０をレンズ鏡筒に押し込む。その結果、凸部４２Ａ，４２Ｂがレンズ保持枠に押されて凸部４１Ａ，４１Ｂが孔２１Ａ，２１Ｂから押し出され、凸部４１Ａ，４１Ｂと孔２１Ａ，２１Ｂとの係合が解除される。凸部４１Ａ，４１Ｂと孔２１Ａ，２１Ｂとの係合が解除されると、可動部材２０Ａ，２０Ｂがばね３０Ａ，３０Ｂの付勢力により離間方向へ移動し、可動部材２０Ａ，２０Ｂの円弧状突起部２５Ａ，２５Ｂがレンズ鏡筒の前端部内周面の係合部に係合する。
【００２１】
これに対し、レンズキャップ１００をレンズ鏡筒から外すとき、例えば可動部材２０Ａ，２０Ｂにそれぞれ形成された凹部（図示せず）に指を入れて可動部材２０Ａ，２０Ｂを接近させる。その結果、円弧状突起部２５Ａ，２５Ｂとレンズ鏡筒の前端部内周面の係合部との係合が解除される。
【００２２】
この実施形態によれば、フードが取り付けられているレンズ鏡筒にレンズキャップ１００を装着するときであっても、レンズキャップ１００の凸部４２Ａ，４２Ｂをレンズ鏡筒のレンズ保持枠に押し付けるだけで、レンズキャップ１００をレンズ鏡筒に確実に装着することができる。その結果、撮影者の移動中にカメラに伝わる振動やカメラに対するわずかな衝撃等でレンズキャップ１００がレンズ鏡筒から外れ、レンズキャップ１００を紛失するのを防止することができる。
【００２３】
なお、レンズキャップ１００の円弧状突起部２５Ａ，２５Ｂに形成されたおねじは従来のレンズ鏡筒の前端部内周面の係合部に形成されためねじに係合可能であるので、レンズキャップ１００を従来のレンズ鏡筒に使用できることはもちろんである。
【００２４】
また、レンズキャップ１００の円弧状突起部２５Ａ，２５Ｂとレンズ鏡筒の前端部内周面との係合はおねじとめねじとの組み合わせに限られるものではない。
【００２５】
更に、上記実施形態では部品の一例としてレンズ鏡筒を持ち出したが、レンズ鏡筒以外の部品としては例えばレンズ鏡筒に取り付けられるフードがある。
【図面の簡単な説明】
【００２６】
【図１】図１はこの発明の一実施形態に係る鏡筒の断面を示す概念図である。
【符号の説明】
【００２７】
１０：キャップ本体、２０Ａ，２０Ｂ：可動部材、２１Ａ，２１Ｂ：孔、３０Ａ，３０Ｂ：ばね（付勢部材）、４０Ａ，４０Ｂ：アーム（規制手段）、４２Ａ，４２Ｂ：凸部（解除手段）、１００：レンズキャップ（キャップ）。
【図１】
2010002807.tif 000003